(57)【要約】【課題】ウキを釣り糸に対して遊動状態または固定状態に自由に変換することができるとともに、素人であっても取り扱いが容易な釣り用遊動固定可変装置およびこれを内蔵するウキを提供する。【解決手段】本発明に係る釣り用遊動固定可変装置１Ａは、ウキ５を釣り糸６に対して遊動状態または固定状態にする釣り用遊動固定可変装置１Ａであって、装置本体２と、釣り糸６の所定位置に固定されているウキ止め部材７を所定の負荷に応じて選択的に上下方向に通過させる通過部材３と、ウキ止め部材７を係止する係止部材４とを有しており、通過部材３は、ルアー９の重量または錘および餌の重量によりウキ止め部材７から下向き荷重を受けた場合にウキ止め部材７を下方へ通過させるとともに、ウキ止め部材７から下向き荷重よりも大きい上向き荷重を受けた場合にウキ止め部材７を上方へ通過させる。【選択図】  図２
2015096034.tif 000002
【特許請求の範囲】
【請求項１】
ウキを釣り糸に対して遊動状態または固定状態にする釣り用遊動固定可変装置であって、
前記釣り糸を挿通させる挿通孔を有する装置本体と、
前記挿通孔内の上方位置に設けられ、前記釣り糸の所定位置に固定されているウキ止め部材を所定の負荷に応じて選択的に上下方向に通過させる通過部材と、
前記挿通孔内の下方位置に設けられ、前記ウキ止め部材を係止する係止部材とを有しており、
前記通過部材は、ルアーの重量または錘および餌の重量により前記ウキ止め部材から下向き荷重を受けた場合に前記ウキ止め部材を下方へ通過させるとともに、前記ウキ止め部材から前記下向き荷重よりも大きい上向き荷重を受けた場合に前記ウキ止め部材を上方へ通過させる、釣り用遊動固定可変装置。
【請求項２】
前記通過部材は、
前記挿通孔内で上下方向に揺動自在に設けられているとともに、ウキ止め部材を係止する係止位置と前記ウキ止め部材を通過させる通過位置とに揺動可能な揺動プレートと、
前記揺動プレートの下方に配置されて前記揺動プレートに上向きの押圧力を付与するとともに、前記ウキ止め部材から下向き荷重を受けて圧縮され、前記揺動プレートを下方の前記通過位置まで揺動させる下方バネと、
前記揺動プレートの上方に配置されて前記揺動プレートに下向きの押圧力を付与するとともに、前記ウキ止め部材から上向き荷重を受けて圧縮され、前記揺動プレートを上方の前記揺動位置まで揺動させる上方バネと
を有する、請求項１に記載の釣り用遊動固定可変装置。
【請求項３】
前記下方バネおよび前記上方バネは、その基端部が先端部に対して前記揺動プレートの揺動方向に変位されている、請求項２に記載の釣り用遊動固定可変装置。
【請求項４】
前記装置本体は、
前記挿通孔に連通されて前記通過部材を収容する上方収容室および前記挿通孔に連通されて前記係止部材を収容する下方収容室を有する収容ケースと、
前記収容ケースを水密に密閉する密閉蓋と
前記収容ケースと前記密閉蓋とを固定する固定ビスとを有し、
前記固定ビスは、前記上方収容室内に貫通されて前記揺動プレートの揺動軸として機能する、請求項２または請求項３に記載の釣り用遊動固定可変装置。
【請求項５】
前記係止部材に代えて、前記ウキ止め部材を所定の負荷に応じて選択的に上下方向に通過させる第２通過部材が設けられている、請求項１から請求項４のいずれかに記載の釣り用遊動固定可変装置。
【請求項６】
請求項１から請求項５のいずれかに記載の釣り用遊動固定可変装置を内蔵しているウキ。
【発明の詳細な説明】
【技術分野】
【０００１】
本発明は、ウキを釣り糸に対して遊動状態または固定状態にする装置に関し、特に釣り糸をウキの中心に通して使用される中通しウキに好適な釣り用遊動固定可変装置およびこれを内蔵するウキに関する。
【背景技術】
【０００２】
ウキ釣りに使用されるウキは、遊動ウキと固定ウキとに大別される。遊動ウキは、釣り糸に固定されていないウキであって、ウキ止め部材とルアーとの間を自由に動くものである。このため、キャスティング時（ルアー等の仕掛けを水中へ投げ入れること）には、遠心力によって遊動ウキがルアー部分まで移動し、一体となって飛ぶため、釣り糸が絡まりにくい上、空気抵抗を受けにくく遠投性能に優れているという利点を有する。ところが、遊動ウキは、潮や波の影響を受けて上下動しやすいため、ルアーを一定のタナ（魚の遊泳層）に維持できない上、流されないように釣り糸にテンションをかけるとルアーが浮いてしまうといった欠点がある。また、根掛かり等で釣り糸が切れた際、釣り糸に固定されていないため外れて流され回収できないといった欠点がある。
【０００３】
一方、固定ウキは、ウキ止め部材によって釣り糸の所定位置に固定されているウキであって、潮や波の影響を受けにくいため、ルアーを一定のタナに維持できるといった利点や、根掛かり等で釣り糸が切れても外れずに回収することができるといった利点を有する。ところが、キャスティング時には、固定ウキとルアーとが互いを支点として回転してしまうため、釣り糸が絡まりやすく遠投に適さないといった欠点がある。
【０００４】
そこで、遊動ウキと固定ウキの上記のような欠点を解消し、遊動ウキと固定ウキの利点を併せ持つウキの開発が望まれていた。このような課題に対する発明として、例えば、特開２０１１−２４５５４号公報（特許文献１）には、内部に３室の空間を設けるとともに、ウキの傾きに合わせて内蔵された球体が各室空間を移動する通路を設けたウキが開示されている。この特許文献１によれば、任意のタナ位置でウキが傾くよう竿先を操作することにより、遊動状態にあった道糸は球体により固定されて固定状態になるため、ウキを任意のタナに固定することが可能であると記載されている。
【０００５】
また、特開２００６−２２３２８２号公報（特許文献２）には、上方内部に擂り鉢状空間部と上蓋円形開口部分がある上蓋を設けた円錐ウキ本体と、くびれ部分より下の膨らみ部分は前記擂り鉢状空間部に内包され、上部の開口部分が前記上蓋から出ている傾斜パイプとを備え、傾斜パイプくびれ部分と上蓋円形開口部分が接する接点を支点として傾斜パイプの傾斜が進むに従い傾斜パイプ下先端部分と擂り鉢状空間部の内壁との隙間が狭くなる形状を成している円錐ウキが開示されている。この特許文献２によれば、釣り糸の送り出し、あるいは張り具合の操作によって、ウキを釣り糸に対し遊動状態あるいは固定状態に自由に変換できると記載されている。
【先行技術文献】
【特許文献】
【０００６】
【特許文献１】特開２０１１−２４５５４号公報
【特許文献２】特開２００６−２２３２８２号公報
【発明の概要】
【発明が解決しようとする課題】
【０００７】
しかしながら、特許文献１に開示されたウキは、ウキが一旦固定状態になると、ウキを手元に回収するまで固定状態を解除できない。このため、ルアーの水深を変更するには、一度ルアーを回収する必要があり手間がかかるという問題や、根掛かり等で釣り糸が切れてもウキを回収することができないといった問題がある。
【０００８】
一方、特許文献２に開示されたウキは、回収時に再び遊動状態に戻すことができるが、ウキが所望のタナに到達したとき、自らの操作の加減によって遊動状態から固定状態に変換するものである。このため、熟練の釣り人でなければ、操作が難しい上、いつウキを固定状態にしたらよいのか判断が難しいという問題がある。そのため、通常の固定ウキのように予めウキ下（ウキから針までの長さ）を決めておきたいという要望があった。
【０００９】
本発明は、このような問題点を解決するためになされたものであって、ウキを釣り糸に対して遊動状態または固定状態に自由に変換することができるとともに、素人であっても取り扱いが容易な釣り用遊動固定可変装置およびこれを内蔵するウキを提供することを目的としている。
【課題を解決するための手段】
【００１０】
本発明に係る釣り用遊動固定可変装置は、ウキを釣り糸に対して遊動状態または固定状態にする釣り用遊動固定可変装置であって、釣り糸を挿通させる挿通孔を有する装置本体と、挿通孔内の上方位置に設けられ、釣り糸の所定位置に固定されているウキ止め部材を所定の負荷に応じて選択的に上下方向に通過させる通過部材と、挿通孔内の下方位置に設けられ、ウキ止め部材を係止する係止部材とを有しており、通過部材は、ルアーの重量または錘および餌の重量によりウキ止め部材から下向き荷重を受けた場合にウキ止め部材を下方へ通過させるとともに、ウキ止め部材から下向き荷重よりも大きい上向き荷重を受けた場合にウキ止め部材を上方へ通過させる。
【００１１】
本発明の一態様として、通過部材は、挿通孔内で上下方向に揺動自在に設けられているとともに、ウキ止め部材を係止する係止位置とウキ止め部材を通過させる通過位置とに揺動可能な揺動プレートと、揺動プレートの下方に配置されて揺動プレートに上向きの押圧力を付与するとともに、ウキ止め部材から下向き荷重を受けて圧縮され、揺動プレートを下方の通過位置まで揺動させる下方バネと、揺動プレートの上方に配置されて揺動プレートに下向きの押圧力を付与するとともに、ウキ止め部材から上向き荷重を受けて圧縮され、揺動プレートを上方の揺動位置まで揺動させる上方バネとを有してもよい。
【００１２】
本発明の一態様として、下方バネおよび上方バネは、その基端部が先端部に対して揺動プレートの揺動方向に変位されていてもよい。
【００１３】
本発明の一態様として、装置本体は、挿通孔に連通されて通過部材を収容する上方収容室および挿通孔に連通されて係止部材を収容する下方収容室を有する収容ケースと、収容ケースを水密に密閉する密閉蓋と収容ケースと密閉蓋とを固定する固定ビスとを有し、固定ビスは、上方収容室内に貫通されて揺動プレートの揺動軸として機能してもよい。
【００１４】
本発明の一態様として、係止部材に代えて、ウキ止め部材を所定の負荷に応じて選択的に上下方向に通過させる第２通過部材が設けられていてもよい。
【００１５】
本発明に係るウキは、前記釣り用遊動固定可変装置を内蔵している。
【発明の効果】
【００１６】
本発明の釣り用遊動固定可変装置およびこれを内蔵するウキによれば、ウキを釣り糸に対して遊動状態または固定状態に自由に変換することができるとともに、素人であっても容易に取り扱うことができる。
【図面の簡単な説明】
【００１７】
【図１】本発明に係る釣り用遊動固定可変装置を内蔵するウキの一部縦断面図とルアーとを示す図である。
【図２】本第１実施形態における釣り用遊動固定可変装置の縦断面図である。
【図３】図２のＡ−Ａ線断面図である。
【図４】図２のＢ−Ｂ線断面図である。
【図５】本第２実施形態における釣り用遊動固定可変装置の縦断面図である。
【発明を実施するための形態】
【００１８】
以下、本発明に係る釣り用遊動固定可変装置１Ａ，１Ｂの実施形態について図面を用いて説明する。
【００１９】
本第１実施形態に係る釣り用遊動固定可変装置１Ａは、図１に示すように、ウキ５を釣り糸６に対して遊動状態または固定状態にするためにウキ５に内蔵される装置である。この釣り用遊動固定可変装置１Ａは、図２に示すように、主として、装置本体２と、ウキ止め部材７を上下方向に通過させる通過部材３と、ウキ止め部材７を係止する係止部材４とから構成されている。以下、本実施形態に係る構成について詳細に説明する。
【００２０】
本第１実施形態に係るウキ５は、図１に示すように、縦長の略楕円体形状からなる中通しウキであって、釣り糸６を挿通するための中通し穴５１が軸線に沿って形成されている。また、このウキ５は、図１に示すように、釣り用遊動固定可変装置１Ａを内蔵するために、中空であるとともに、上部パーツ５２と下部パーツ５３とによって分離可能に構成されている。そして、上部パーツ５２の端部の外周および下部パーツ５３の端部の内周にはそれぞれネジ溝５４が形成されており、いずれか一方を他方に対して回転させることで連結されるようになっている。また、上部パーツ５２と下部パーツ５３の連結部分からウキ５の内部に水が侵入しないよう、連結部分には、オーリング８が取り付けられている。
【００２１】
本第１実施形態に係る釣り用遊動固定可変装置１Ａは、図１に示すように、ウキ５の内部であって、中通し穴５１の軸線方向略中央位置に固定されている。そして、中通し穴５１と釣り用遊動固定可変装置１Ａの連結部分からウキ５の内部に水が侵入しないよう各連結部分には、小径のオーリング８がそれぞれ取り付けられている。
【００２２】
本第１実施形態に係る釣り用遊動固定可変装置１Ａの装置本体２には、図１および図２に示すように、ウキ５の中通し穴５１に連通し、釣り糸６を挿通させる挿通孔２１が形成されている。また、この装置本体２は、挿通孔２１に連通されて通過部材３を収容する上方収容室２２と、挿通孔２１に連通されて係止部材４を収容する下方収容室２３とを有する収容ケース２４を有している。さらに、装置本体２には、図３および図４に示すように、収容ケース２４を水密に密閉する密閉蓋２５が設けられている。そして、収容ケース２４と密閉蓋２５は、収容ケース２４の内部からウキ５の内部に水が侵入しないよう、当接部分に防水用シール材が塗布されたうえで、固定ビス２６によって固定されている。また、装置本体２は透明材料で形成されており、内部にゴミや砂等が入ったことを視認しうるようになっている。
【００２３】
ところで、本第１実施形態に係る釣り用遊動固定可変装置１Ａでは、図２に示すように、ウキ５を所望の位置で固定するためのウキ止め部材７が、所定位置に固定された釣り糸６が使用される。ここで、ウキ止め部材７は、釣り糸６に対して、ルアー９等の仕掛けの投入後にウキ５を固定させたい任意の位置に取り付けることが好ましい。また、ウキ止め部材７としては、ゴム製や糸状のもの等を使用可能であるが、本第１実施形態では、大きさを統一しやすいゴム製のウキ止め部材７を使用することが好ましい。
【００２４】
本第１実施形態に係る釣り用遊動固定可変装置１Ａの通過部材３は、図２に示すように、挿通孔２１内の上方位置に設けられており、ウキ止め部材７を所定の負荷に応じて選択的に上下方向に通過させるための部材である。そして、この通過部材３は、揺動プレート３１と、下方バネ３２と、上方バネ３３とから構成されている。
【００２５】
本第１実施形態に係る揺動プレート３１は、図２および図４に示すように、プレート状部材であり、挿通孔２１内で上下方向に揺動自在に設けられている。具体的には、ウキ止め部材７を係止する係止位置と、ウキ止め部材７を通過させる通過位置とに揺動可能に取り付けられている。また、本第１実施形態では、収容ケース２４と密閉蓋２５とを固定している固定ビス２６が、上方収容室２２内に貫通されて揺動プレート３１の揺動軸として機能するため、装置全体がコンパクト化かつ軽量化されている。
【００２６】
揺動プレート３１の先端部には、図４に示すように、半径が約２ｍｍ程度の半円状の切り欠き３１ａが形成されている。この切り欠き３１ａにより、釣り糸６は揺動プレート３１の揺動位置に関係なく挿通孔２１内を自由に上下する。一方、揺動プレート３１が係止位置にある場合、ウキ止め部材７は切り欠き３１ａに係止し、上下動が規制されるようになっている。
【００２７】
本第１実施形態に係る下方バネ３２は、圧縮バネであり、図２および図３に示すように、上方収容室２２内の揺動プレート３１の下方に配置されている。この下方バネ３２は、揺動プレート３１に上向きの押圧力を付与するとともに、ウキ止め部材７から下向き荷重を受けて圧縮され、揺動プレート３１を下方の通過位置まで揺動させる。また、下方バネ３２は、水中においてルアー９の重量または錘および餌の重量によりウキ止め部材７から下向き荷重を受けた場合に、揺動プレート３１が通過位置まで揺動する程度のバネ定数を有している。
【００２８】
一方、本第１実施形態に係る上方バネ３３は、圧縮バネであり、図２および図３に示すように、上方収容室２２内の揺動プレート３１の上方に配置されている。この上方バネ３３は、揺動プレート３１に下向きの押圧力を付与するとともに、ウキ止め部材７から上向き荷重を受けて圧縮され、揺動プレート３１を上方の揺動位置まで揺動させる。また、上方バネ３３は、水中においてルアー９の重量または錘および餌の重量によりウキ止め部材７から受ける下向き荷重よりも大きい上向き荷重をウキ止め部材７から受けた場合に、揺動プレート３１が上方の揺動位置まで揺動する程度のバネ定数を有している。
【００２９】
すなわち、下方バネ３２は、ルアー９等の自重によって、揺動プレート３１を下方の揺動位置へ揺動させる程度のバネ定数を有している。一方、上方バネ３３は、下方バネ３２よりも硬いバネであって、潮や波による力や、普通に釣り竿を引く力等では圧縮されず、釣り竿を勢いよくしゃくり上げる力によって圧縮され、揺動プレート３１が揺動位置まで揺動する程度のバネ定数を有しているとよい。例えば、５０ｇのルアー９を用いる場合、下方バネ３２は５０ｇで２〜３ｍｍ程度縮めばよく、上方バネ３３は、竿を煽ったときのテンションに相当する２〜３ｋｇで２〜３ｍｍ程度縮めばよい。
【００３０】
また、下方バネ３２および上方バネ３３は、図２に示すように、その基端部３２ａ，３３ａが先端部３２ｂ，３３ｂに対して揺動プレート３１の揺動方向に変位されて取り付けられている。このように取り付けることで、揺動プレート３１が上下いずれか一方に揺動した際に、他方側に取り付けられたバネ３２，３３が外れにくく、また、バネ３２，３３自体が先端部３２ｂ，３３ｂの揺動方向に対して略平行となるため、スムーズに揺動させることが可能となる。なお、下方バネ３２および上方バネ３３の材料としては、海水等で錆びにくいステンレス鋼を用いることが好ましい。
【００３１】
本第１実施形態に係る係止部材４は、図２に示すように、挿通孔２１内の下方位置に設けられ、ウキ止め部材７を係止するための部材である。本第１実施形態では、係止部材４は、係止プレート４１を備えており、揺動プレート３１と同様に、先端部に半径が約２ｍｍ程度の略半円状の切り欠き４１ａが形成されている。この切り欠き４１ａにより、釣り糸６は揺動プレート３１の揺動位置に関係なく挿通孔２１内を自由に上下するが、ウキ止め部材７は係止プレート４１によって係止されるため通過できないようになっている。
【００３２】
また、本第１実施形態では、図２および図３に示すように、下方収容室２３に貫通された固定ビス２６が係止部材４を装置本体２に固定するとともに、係止プレート４１が揺動しないよう、固定部材４２によって固定されている。なお、本実施形態では、係止部材４として、揺動プレート３１と同じ形状のプレート状部材を採用しているが、これに限定されず、釣り糸６を通過させつつウキ止め部材７を係止することのできる部材であれば適宜変更することができる。
【００３３】
つぎに、本第１実施形態に係る釣り用遊動固定可変装置１Ａおよびこれを内蔵するウキ５の作用について説明する。
【００３４】
まず、図１のように、本第１実施形態に係る釣り用遊動固定可変装置１Ａをウキ５の内部に固定し、そのウキ５およびルアー９または錘および餌を釣り糸６に取り付ける。また、ウキ５を固定したい釣り糸６の所定位置にウキ止め部材７を取り付ける。そして、キャスティングを行い、ルアー９等の仕掛けを投げ入れる。このとき、本第１実施形態に係る釣り用遊動固定可変装置１Ａを内蔵しているウキ５は、キャスティングの段階では釣り糸６に固定されておらず遊動状態であるため、空中でルアー９等の仕掛けと一体になって飛び、その後着水する。このように、キャスティング時にウキ５が遊動状態であることにより、ウキ５と仕掛けとが互いを支点として回転してしまうことを防げ、釣り糸６が絡みにくいという効果を有する。また、本第１実施形態に係る釣り用遊動固定可変装置１Ａを内蔵しているウキ５は、遊動状態であるから飛行が安定しており、遠投にも適している。
【００３５】
ルアー９等の仕掛けが着水した後、ウキ５はその上部を水面上に出して浮く。このとき、上部パーツ５２と下部パーツ５３の連結部分や、中通し穴５１と釣り用遊動固定可変装置１Ａとの連結部分に設けられたオーリング８が、ウキ５の内部へ水が浸入するのを防止し、水に浮かぶというウキ５の機能を保持する。
【００３６】
水面上に浮かぶウキ５に対して、ルアー９等の仕掛けは自重によって沈んでいく。このため、釣り糸６は下方へ引っ張られ、ウキ５の中通し穴５１および釣り用遊動固定可変装置１Ａの挿通孔２１内を下方へ通過する。このとき、釣り糸６の所定位置に取り付けたウキ止め部材７が通過部材３の揺動プレート３１の上面に接すると、ルアー９の重量または錘および餌の重量によって、揺動プレート３１に下向き荷重を付与する。この下向き荷重によって下方バネ３２が圧縮されることにより、揺動プレート３１は下方の通過位置まで揺動する。
【００３７】
この通過位置では、挿通孔２１の内壁と揺動プレート３１の先端との間に隙間ができるため、ウキ止め部材７がこの隙間を通過して、下方へ移動する。このように、ウキ止め部材７が前記隙間を通過した後、揺動プレート３１は、ウキ止め部材７から付与されていた下向き荷重から解放されると同時に、圧縮されていた下方バネ３２の復元力によって上向きの押圧力が付与されるため、係止位置に戻される。
【００３８】
一旦、揺動プレート３１の先端を通過したウキ止め部材７は、係止プレート４１によって係止されるため、それより下方への降下が規制される。一方、潮・波の影響や釣り竿を普通に引く力によってウキ止め部材７が上方に移動し揺動プレート３１の下面に接触したとしても、上方バネ３３は圧縮されない。このため、揺動プレート３１は揺動位置まで揺動せず、ウキ止め部材７を上方へ通過させない。このように、ウキ止め部材７が揺動プレート３１の先端を一旦通過すると、揺動プレート３１と係止プレート４１との間から抜け出せなくなるため、ウキ５を釣り糸６に対して遊動状態から固定状態に切り換えることができる。
【００３９】
ウキ５が釣り糸６に固定されると、ウキ下を一定に保つことができ、すなわち、ルアー９等の仕掛けを一定のタナに維持することができるため、魚に警戒されずに効果的に釣りを行うことができる。また、根掛かり等で釣り糸６が切れた場合であっても、ウキ止め部材７が揺動プレート３１と係止プレート４１の間で引っ掛かり、ウキ５が釣り糸６に固定されたままとなる。このため、ウキ５が流されて失う心配がなく、無事に回収することができる。さらに、ウキ止め部材７を釣り糸６の所望の位置に取り付けることによって、予めウキ下を決めておくことができるため、素人であっても容易に取り扱うことができる。
【００４０】
つぎに、魚がルアー９等の仕掛けに食いつくと、釣り竿を１，２回しゃくり上げる。これにより、ウキ止め部材７が、揺動プレート３１を介して上方バネ３３に上向き荷重を付与して圧縮するため、揺動プレート３１が上方の揺動位置まで揺動する。このとき、挿通孔１の内壁と揺動プレート３１の先端の間に隙間ができるため、ウキ止め部材７が当該隙間を通過して、上方へ移動する。このようにして、ウキ５は固定状態から再度、遊動状態に戻されるため、ルアー９等とほぼ一体となり、魚を引き上げやすくなる。なお、ウキ止め部材７が揺動プレート３１の先端を通過した後は、上方バネ３３の復元力によって揺動プレート３１に下向きの押圧力が付与され、係止位置に戻される。
【００４１】
また、固定状態となっているウキ５を回収し、再度キャスティングする場合にも、釣り竿を１，２回しゃくり上げて、ウキ５を固定状態から遊動状態に変換する。そして、釣り糸６を巻きあげることで、ウキ５はルアー９等の仕掛け位置まで移動し、ウキ５が遊動状態のまま続けてキャスティングすることができる。このように、ウキ５を釣り糸６に対して固定状態から遊動状態に自由に変換することができるため、一度回収して手動で変換する必要がなく、次のキャストまでに要する時間を短縮でき、効率的に釣りを楽しむことができる。
【００４２】
以上のような本第１実施形態の釣り用遊動固定可変装置１Ａによれば、以下のような効果を奏する。 
１．ウキを釣り糸に対して遊動状態または固定状態に自由に変換することができる。
２．キャスティング時にウキ５を遊動状態にすることにより、ウキ５と仕掛けとが互いを支点として回転してしまうことを防げ、釣り糸６が絡みにくく、飛距離を向上させることができる。
３．ウキ５が着水した後に、ウキ５を固定状態にできるため、ウキ下を一定に保つことができ、すなわち、ルアー９等の仕掛けを一定のタナに維持し、波の影響を受けにくいため魚に警戒されずに引っ張ることができ、釣果を向上することができる。
４．ウキ５を釣り糸６に固定にしておけば、根掛かり等によって釣り糸６が切れた場合であっても、定ウキ５を失う心配がなく、無事に回収することができる。
５．ウキ止め部材７を釣り糸６の任意の位置に取り付けることによって、予めウキ下を決めておくことができるため、素人であっても容易に取り扱うことができる。
６．釣り竿をしゃくり上げて固定状態のウキ５を再度遊動状態に変換することにより、仕掛けに食いついた魚をスムーズに釣り上げることができる。
７．釣り竿をしゃくり上げて固定状態のウキ５を再度遊動状態に変換することにより、続けてキャスティングすることが可能となり、一度回収して手動で変換する必要がなく、効率的に釣りを楽しむことができる。
【００４３】
つぎに、本発明に係る釣り用遊動固定可変装置の第２実施形態について説明する。なお、本第２実施形態に係る釣り用遊動固定可変装置１Ｂの構成のうち、前述した第１実施形態と同一もしくは相当する構成は同一の符号を付し、再度の説明を省略する。 
【００４４】
本第２実施形態に係る釣り用遊動固定可変装置１Ｂは、主として、川底や海底の底取り（水深を把握すること）およびタナ取り（魚の遊泳層に仕掛けをセットすること）を容易にするための装置である。
【００４５】
本第２実施形態に係る釣り用遊動固定可変装置１Ｂには、図５に示すように、本第１実施形態の係止部材４に代えて、ウキ止め部材７を所定の負荷に応じて選択的に上下方向に通過させる第２通過部材１０が設けられている。この第２通過部材１０は、上方収容室２２に収容されている通過部材３と同様の構成および機能を有しており、第２揺動プレート１１と、第２下方バネ１２と、第２上方バネ１３とから構成されている。
【００４６】
また、本第２実施形態では、おおよその水深を予想し、図５に示すように、釣り糸６の先端から予想した水深分の長さの位置を中心として上下に５０ｃｍ〜１ｍ間隔に複数のウキ止め部材７が取り付けられている。
【００４７】
本第２実施形態では、第１実施形態と同様、ルアー９等の仕掛けが着水した後、ウキ５はその上部を水面上に出して浮く一方、ルアー９等の仕掛けは自重によって沈んでいく。このため、釣り糸６は下方へ引っ張られ、ウキ５の中通し穴５１および釣り用遊動固定可変装置１Ｂの挿通孔２１内を降下して、ルアー９等の仕掛けは川底または海底に達するまで重量によって沈んでいく。
【００４８】
このとき、釣り糸６に所定間隔で取り付けられたウキ止め部材７は、釣り糸６の先端に近い方から順に揺動プレート３１および第２揺動プレート１１を通過位置まで下方に揺動させながら降下する。そして、ルアー９等の仕掛けが川底または海底に達した後、ゆっくりと釣り糸６を巻き上げると、揺動プレート３１または第２揺動プレート１１を通過したウキ止め部材７のうち、最も揺動プレート３１または第２揺動プレート１１に近いウキ止め部材７が揺動プレート３１または第２揺動プレート１１の下面に接触して係止される。つづけて、ゆっくりと釣り糸６を巻き上げていき、手元にウキ５を回収した時点で釣り糸６に対するウキ５の位置を確認することで、底取りを行うことができる。
【００４９】
なお、底取りによって水深が判明した後は、当該水深に相当する位置を基準としてタナに相当する位置にのみウキ止め部材７を取り付けるとともに、本第２実施形態の釣り用遊動固定可変装置１Ｂに代えて第１実施形態の釣り用遊動固定可変装置１Ａを取り付け、再度キャスティングを行う。これにより、ルアー９等の仕掛けが所望のタナに達したところでウキ止め部材７が揺動プレート３１と係止プレート４１との間に固定されるため、簡単にタナ取りを行うことができる。
【００５０】
以上のように、本第２実施形態に係る釣り用遊動固定可変装置１Ｂを使用することにより、底取りおよびタナ取りを容易に行うことができる。
【００５１】
なお、本発明に係る釣り用遊動固定可変装置１Ａ、１Ｂおよびこれを内蔵するウキ５は、前述した実施形態に限定されるものではなく、適宜変更することができる。 
【００５２】
例えば、上述した各実施形態では、通過部材３および第２通過部材１０として、上下に揺動する揺動プレート３１および第２揺動プレート１１を採用しているが、この構成に限定されるものではなく、ウキ止め部材７を所定の負荷に応じて選択的に上下方向に通過させる部材であればよい。例えば、平歯車のような部材を採用し、各歯が挿通孔２１内に突出するように回動自在に軸支する。そして、ラッチ機構等によって一方向（ウキ止め部材７が降下する方向）には軽い力で回転し、逆方向（ウキ止め部材７が上昇する方向）にはある程度の負荷をかけたときだけ回転するように構成してもよい。
【００５３】
また、上述した各実施形態では、縦長の略楕円体形状からなる中通しウキを用いているが、この形状に限定されるものでない。例えば、上部パーツ５２にロケット後端の羽根、矢羽、ダーツの羽根等を設ければ、キャスティング時の飛行姿勢が安定し、飛行距離が向上する。また、棒ウキのような鋭利な形状にすれば、視界性も良くなり視力の悪い人でも容易に確認することができる。
【００５４】
さらに、ウキ５を透明素材で形成するとともに、ＬＥＤ（Light Emitting Diode）等の発行装置を内蔵させ、夜間の視認性を高めてもよい。また、小型カメラを内蔵させて、魚がルアー９に食いつく瞬間等を撮影するようにしてもよい。さらに、ウキ５の下端部（ルアー９側）にスナップサルカン（接続金物）を収容しうる凹部を形成し、キャスティング時におけるウキ５とルアー９との一体性を向上させてもよい。
【００５５】
また、上述した各実施形態では、サケやマス等のウキルアー釣りに好適であるが、これに限定されるものではなく、太刀魚のウキ釣り、青物の泳がせ釣り、イカのウキ釣り等、様々な釣り方に適用することができる。さらに、ウキとして使用せず、投げ釣りの仕掛けに装着して仕掛け自体を浮かせ、根掛かりの激しい場所でも引っ掛からないようにすることもできる。
【００５６】
また、上述した各実施形態では、釣り用遊動固定可変装置をウキに内蔵させて使用しているが、この構成に限定されるものではなく、単体で使用することもできる。具体的には、装置本体２にスナップサルカン（接続金物）を取り付けるとともに、環付き棒ウキを用いて釣りを行うこともできる。この場合、クロダイ、ヘラブナ、メジナ等のアタリが小さな魚にも有効である。
【符号の説明】
【００５７】
１Ａ，１Ｂ  釣り用遊動固定可変装置
２  装置本体
２１  挿通孔
２２  上方収容室
２３  下方収容室
２４  収容ケース
２５  密閉蓋
２６  固定ビス
３  通過部材
３１  揺動プレート
３１ａ  切り欠き
３２  下方バネ
３２ａ  基端部
３２ｂ  先端部
３３  上方バネ
３３ａ  基端部
３３ｂ  先端部
４  係止部材
４１  係止プレート
４１ａ  切り欠き
４２  固定部材
５  ウキ
５１  中通し穴
５２  上部パーツ
５３  下部パーツ
５４  ネジ溝
６  釣り糸
７  ウキ止め部材
８  オーリング
９  ルアー
１０  第２通過部材
１１  第２揺動プレート
１２  第２下方バネ
１３  第２上方バネ
【図１】
2015096034.tif 000003
【図２】
2015096034.tif 000004
【図３】
2015096034.tif 000005
【図４】
2015096034.tif 000006
【図５】
2015096034.tif 000007